(57)【要約】      （修正有）【課題】香りを楽しみたいときに簡単かつ迅速に芳香作用を発揮でき、持ち歩きやすいアロマケースを提供する。【解決手段】アロマオイルを吸収保持する多孔質性の吸収体５と、この吸収体を収納するとともに、一部に開口３を有し、気体が不透過性の箱状の本体１と、本体の開口を塞ぐように設けられ且つ気体が透過する紙中蓋４と、開口に対して紙中蓋の上から装着する気体が不透過性の蓋体２と、を備える。臭いを楽しみたいときには、蓋体を本体から外して紙中蓋を表に出す。アロマオイルは吸収体から揮発し、紙外部に漏れ出すので、ユーザはこれを嗅ぐことができる。香りを楽しんだ後は、再び蓋体を本体に装着して密封する。【選択図】図１
0003194447.tif 000002
【実用新案登録請求の範囲】
【請求項１】
アロマオイルを吸収保持する多孔質性の吸収体と、
この吸収体を収納する一部が開口した気体が不透過性の箱状の本体と、
前記本体の開口に当該開口を塞ぐように設けられ且つ気体が透過する紙中蓋と、
開口に対して前記紙中蓋の上から装着する気体が不透過性の外蓋と、
を備えたことを特徴とするアロマケース。
【請求項２】
前記紙中蓋は、前記開口に対して着脱可能に貼り付けられることを特徴とする請求項１に記載のアロマケース。
【請求項３】
前記紙中蓋は、和紙であることを特徴とする請求項１又は２に記載のアロマケース。
【考案の詳細な説明】
【技術分野】
【０００１】
本考案は、アロマオイルの香りを簡単かつ直ぐに楽しむことができるアロマケースに関するものである。
【背景技術】
【０００２】
従来から特許文献１に記載されているような香炉が知られている。この香炉は、耐熱部材からなる本体に芳香用材料を載せる芳香部を設け、当該芳香部を下方から加熱する発熱部を設けてなる。また、前記芳香部に長さの異なる芳香用材料収納部材を設ける。これにより、芳香用材料の種類によって芳香用材料収納部材を交換し、発熱部と芳香用材料収納部材との距離を変更させることで、芳香用材料に加えられる温度が調節でき、芳香用材料の芳香を十分に引き出すことができる。
【先行技術文献】
【特許文献】
【０００３】
【特許文献１】特開２００１−２３１６７７号公報
【考案の概要】
【考案が解決しようとする課題】
【０００４】
しかしながら、上記従来の香炉では、芳香用材料を加熱して芳香作用を発揮させるため、香りを楽しむまでに手間と時間がかかるという問題点があった。また、香炉自体が大きいために気軽に持ち運びできないという問題点があった。本考案は、かかる問題点を解決するためになされたものである。
【課題を解決するための手段】
【０００５】
本考案に係るアロマケースは、アロマオイルを吸収保持する多孔質性の吸収体と、この吸収体を収納する一部が開口した気体が不透過性の箱状の本体と、前記本体の開口に当該開口を塞ぐように設けられ且つ気体が透過する紙中蓋と、開口に対して前記紙中蓋の上から装着する気体が不透過性の外蓋とを備えたことを特徴とする。
【０００６】
上記紙中蓋は、前記開口に対して着脱可能に貼り付けられるようにするのが好ましく、前記紙中蓋は、和紙とするのが好ましい。
【図面の簡単な説明】
【０００７】
【図１】本考案の実施の形態に係るアロマケースを示す構成図である。
【図２】図１に示したアロマケースの側面図である。
【図３】図１に示したアロマケースの断面図である。
【図４】本体に吸収体を収納した状態を示す斜視図である。
【図５】本体に吸収体を収納した状態を示す斜視図である。
【図６】アロマオイルを補充する状態を示す斜視図である。
【考案を実施するための形態】
【０００８】
図１は、本考案の実施の形態に係るアロマケースを示す構成図である。図２は、図１に示したアロマケースの側面図である。図３は、図１に示したアロマケースの断面図である。このアロマケース１００は、円筒形の中空で且つ上側が開口した箱状の本体１と、当該本体１の上部に着脱可能に設けた蓋体２と、本体１の開口３に設けた紙中蓋４と、本体１の内部に収納されたアロマオイルの吸収体５とから構成される。
【０００９】
前記吸収体５には、所望のアロマオイルが含浸される。吸収体５はアロマオイルを吸収できるものであれば、どのようなものでも良い。例えば、細かい穴を多数有する多孔質性のセラミックス、金属、木材、ガラス等を用いることができる。
【００１０】
前記本体１及び蓋体２は、アルミニウム、樹脂、ステンレス、ガラス等の気体を通すことがない素材から構成される。また、本体１に対して蓋体２は気密に装着される。このため、蓋体２の内側面のうち前記本体１の開口３に当接する部分にはゴム等のシール材が設けられる（図示省略）。これにより、吸収体５に吸収させたアロマオイルの揮発を防止できる。
【００１１】
次に、前記紙中蓋４は、和紙を用いるのが好ましい。この和紙は、麻紙、穀紙、斐紙、檀紙等を用いることができる。また、和紙の裏に設ける粘着剤として、エマルジョン系強粘糊を用い、剥離材にはクリームクラフトセパを用いた。更に、前記粘着剤としてアクリル酸エステル共重合体を用いることができ、前記剥離材としてパルプ、染料、ポリエチレン、サイズ剤、加工でんぷん、シリコーン、硫酸アルミニウム等を用いることができる。
【００１２】
前記開口３の端縁にはその内側に向かってフランジ状に張り出した頂面６が形成されており、当該頂面６に紙中蓋４を貼り付けやすくしてある。
【００１３】
図４及び図５は、本体に吸収体を収納した状態を示す斜視図である。まず、図４に示すように、吸収体５にアロマオイルを滲みこませ、当該吸収体５を本体１の中に入れる。そして、図５に示すように、本体１の開口３の端縁に紙中蓋４を貼り付ける。和紙は、吸収体５からアロマオイルが揮発した場合、気体が通過するので、外部からアロマの香りを嗅ぐことができる。また、図２及び図３に示したように、本体１に蓋体２を装着することで、本体１内部を完全に密封できる。このため、吸収体５のアロマオイルが完全に揮発するのを防止できる。
【００１４】
ユーザは、このアロマケース１００を持ち歩き、臭いを楽しみたいときには、前記蓋体２を本体１から外して紙中蓋４を表に出す。これによりアロマオイルが吸収体５から揮発し、紙中蓋４を通過して外部に漏れ出し、ユーザはこれを嗅ぐことができるようになる。香りを楽しんだ後は、再び蓋体２を本体１に装着して密封する。これにより、アロマオイルの揮発は防止される。
【００１５】
次に、使用により前記吸収体５に吸収したアロマオイルが揮発してしまった場合、図６に示すように、紙中蓋４の一部を剥して内部の吸収体５を露出させ、これにアロマオイルを再び滲みこませる。そして、再び、紙中蓋４を開口３に貼り付ける。これにより、再び芳香作用が復活するので、再利用可能となる。
【００１６】
以上、この考案に係るアロマケース１００によれば、香りを楽しみたいときに簡単かつ迅速に芳香作用を発揮でき、アロマオイルをケース内の吸収体５で保持することから持ち歩きも自在かつ簡単である。更に、アロマオイルの補充により芳香効果を継続できる。
【符号の説明】
【００１７】
１００  アロマケース
１  本体
２  蓋体
３  開口
４  紙中蓋
５  吸収体
６  頂面
【図１】
0003194447.tif 000003
【図２】
0003194447.tif 000004
【図３】
0003194447.tif 000005
【図４】
0003194447.tif 000006
【図５】
0003194447.tif 000007
【図６】
0003194447.tif 000008